(57)【特許請求の範囲】
【請求項１】
全体として矩形を呈し、４つのコーナー部に四分円状の空所を有している、二重床用の床パネルにして、４枚の床パネルのコーナー部が集合したときに前記四分円状の空所が円形開口を形成するようになされている床パネルを支持するための支持脚であって、
前記円形開口を形成する各床パネルのコーナー部を支持するための受け台部にして、前記円形開口に整合する取り付け口を中央部に形成している受け台部と、
該受け台部を支持する支持脚本体と、
前記取り付け口に取り付けられた円柱状部材と、
を備えており、
前記円柱状部材が、前記円形開口にて前記床パネルの上面と同じ高さに位置付けられる上端と、前記床パネルのコーナー部の下方にて前記受け台部上に載置された中間フランジと、前記支持脚本体に当接する下端とを備えている、
支持脚。
【請求項２】
前記円柱状部材の外周面に、前記床パネルのコーナー部の内周縁と密接する、長手方向の突条が設けられている、請求項１に記載の支持脚。
【請求項３】
前記円柱部材が中空であり、内周面に長手方向のリブが設けられている、請求項１または２に記載の支持脚。
【請求項４】
前記円柱状部材が樹脂製である、請求項１ないし３のいずれかに記載の支持脚。
【発明の詳細な説明】
【０００１】
【発明の属する技術分野】
本発明は二重床用の床パネルを支持するための支持脚に関する。
【０００２】
【従来の技術】
全体として矩形をした二重床用の床パネルは、４枚の床パネルのコーナー部が集合した箇所ごとに１本の支持脚によって支持される。支持脚は、床パネルのコーナー部を支持するための受け台部と、該受け台部を支持するための支持脚本体とを有している。
【０００３】
固定することが必要な床パネルの４つのコーナー部のそれぞれに四分円状の空所を設け、４枚の床パネルのコーナー部が集合したときに該四分円状の空所が円形開口を形成するようにすることは知られている。支持脚の受け台部にも、該円形開口と整合する開口部が形成される。この受け台部の開口部は、床パネルのコーナー部を受け台部上に押圧して該受け台部とともに挟持固定するためのパネルロック部材の取り付け口となっている。パネルロック部材を取り付けると、各パネルのコーナー部が支持脚に対して固定され、パネルロック部材の上端は、床パネルのコーナー部が形成する円形開口をふさぐ形となる。ハイヒールや椅子のキャスターなどにより円形開口の領域に加えられる局所的荷重は、パネルロック部材の頭部を介して支持脚の受け台部によって支持される。
【０００４】
しかしながら、このように床パネルのコーナー部を支持脚の受け台部に固定するためのパネルロック部材を、むしろ使用しない方がよい場合がある。例えば通気口を有する空調用床パネルが用いられる場合である。パネル位置を容易に変更できるよう、パネルのコーナー部を非固定式にした方が都合がよいからである。パネルロック部材を使用しないのであれば、床パネルのコーナー部に四分円状の空所を設けたり、支持脚の受け台部に取り付け用の開口を形成する必要はない。
【０００５】
しかし、空調用床パネルの場合でもなお、パネルのコーナー部を固定せざるを得ない状況がある。そのパネルにパーティション等を組み付けるときである。組み付けた物が倒れないよう、当該パネルを固定しなければならない。そして、パネルの固定には、前述したパネルロック部材が便利である。
【０００６】
したがって、空調用床パネルのように、原則的には非固定式にすべき床パネルであっても、前述したようにコーナー部に四分円状空所を設け、４つのコーナー部が集まったときに円形開口が形成されるようにし、支持脚の受け台部に取り付け用の開口を設け、床パネルの固定が必要なときにはパネルロック部材を取り付けることができるようにしておく必要がある。
【０００７】
そこで、コーナー部に四分円状空所を有し、４つのコーナー部が集まったときに円形開口が形成される床パネルを、非固定状態で使用する際には、円形開口内にハイヒールや椅子のキャスターが落ち込まないようにしなければならない。
【０００８】
【発明が解決しようとする課題】
本発明は、集まった床パネルのコーナー部が形成する円形開口をふさいで落ち込みを防止するとともに、円形開口の領域に加わる局所荷重を分散支持することのできる床パネル用支持脚を提供することを課題とする。
【０００９】
【課題を解決するための手段】
上記課題を解決するため、本発明によれば、
全体として矩形を呈し、４つのコーナー部に四分円状の空所を有している、二重床用の床パネルにして、４枚の床パネルのコーナー部が集合したときに前記四分円状の空所が円形開口を形成するようになされている床パネルを支持するための支持脚であって、
前記円形開口を形成する各床パネルのコーナー部を支持するための受け台部にして、前記円形開口に整合する取り付け口を中央部に形成している受け台部と、
該受け台部を支持する支持脚本体と、
前記取り付け口に取り付けられた円柱状部材と、
を備えており、
前記円柱状部材が、前記円形開口にて前記床パネルの上面と同じ高さに位置付けられる上端と、前記床パネルのコーナー部の下方にて前記受け台部上に載置された中間フランジと、前記支持脚本体に当接する下端とを備えている、
支持脚が提供される。
【００１０】
前記円柱状部材の外周面には、前記床パネルのコーナー部の内周縁と密接する、長手方向の突条を設けるようにしてもよい。
【００１１】
前記円柱部材を中空とし、内周面に長手方向のリブを設けるようにしてもよい。
【００１２】
また、円柱状部材は、樹脂製であることが望ましい。
【００１３】
【発明の実施の形態】
図１は本発明の一実施例による支持脚１で床パネル２のコーナー部を支持している状態を示す断片断面図である。この実施例で支持されている床パネル２は、鋼板製床パネルであり、鋼板製の表面板３および同じく鋼板製の裏面板４とを組み合わせて構成されている。表面板３は平坦な形状をしている一方、裏面板４は補強のためのリブを有している。裏面板４は、表面板３に接している部分にて該表面板４にスポット溶接されている。図１に示すように、床パネル２上にはカーペットのような仕上げ材５が貼着される。
【００１４】
支持脚１は、床パネル２のコーナー部を支持するための受け台部６と、この受け台部６を支持する支持脚本体７とを備えている。支持脚本体７は、ネジ付き支柱８と、該支柱８に螺装された２つのナット９を有している。受け台部６は、全体として環状の形態をした上側部材１０および下側部材１１を組み合わせて構成されており、２つのナット９間に下側部材１１が挟持固定されている。支柱８上でのナット９の位置を調節することで、受け台部６の高さ位置、ひいては支持される床パネル２の高さ位置を決定することができる。
【００１５】
床パネル２は全体として矩形をしており、図２に示すように、床パネル２のコーナー部はそれぞれ、ほぼ四分円状の空所２ａを有している。４枚の床パネル２のコーナー部が集合すると、これら四分円状の空所２ａが、切り欠き部を除いて円形の開口２ｂを形成する。一方、受け台部６の上側部材１０の中央部にも、開口２ｂに対応する開口１２が形成されている。この開口１２は、４枚の床パネル２のコーナー部が支持脚１上に集合したときに形成される円形開口２ｂに整合する。
【００１６】
支持脚１はさらに、円柱状の部材であるコーナーキャップ１３を備えている。
図３ないし図５にコーナーキャップ１３の詳細を示す。コーナーキャップ１３は、壁によって閉じられた上端１４と、開いた下端１５とを有する中空の部材であり、中間にて半径方向に広がるフランジ１６を備える。コーナーキャップ１３の、中間フランジ１６よりも上方の部分の外周面には、複数の長手方向の小さな突条１７が形成されている。また、コーナーキャップ１３の内周面にも、複数の長手方向のリブ１８が形成されている。リブ１８は、図４に示すように、上壁の内側から下方に延び、下端１５に至る前に終端して、ナット９と干渉しないようになっている。
【００１７】
コーナーキャップ１３は、受け台部６の開口１２内に着脱自在に取り付けられる。したがって、開口１２はコーナーキャップ１３の取り付け口となる。コーナーキャップ１３が開口１２内に取り付けられたとき、中間フランジ１６は、受け台部６の上側部材１０の半径方向内方環状部分の上面に当接し、下端１５は、支持本体７の一部を構成する支持板７ａの上面に当接する。
【００１８】
コーナーキャップ１３を取り付けた支持脚１上に床パネル２を載置する際、受け台部６の上側部材１０上に環状のスペーサー１９が置かれる。床パネル２は、裏面板４の補強リブの部分において、このスペーサー１９を介して受け台部６に支持される。また、床パネル２は、コーナー部において、コーナーキャップ１３の中間フランジ１６上に若干の隙間を有して位置しており、コーナー部に大きな荷重が負荷された際には変形して中間フランジ１６を介して受け台部６に支持される。床パネル２のコーナー部と受け台部６との間に挟持される形となった中間フランジ１６に加えられる荷重は、コーナーキャップ１３の下端１５を介して支持板７ａにも伝達される。
【００１９】
コーナーキャップ１３の高さは、支持脚１が床パネル２を支持したときにコーナーキャップ１３の上端が円形開口２ｂにおいて床パネル２の上面と同じ高さに位置付けられるようになされている。したがって、床パネル２の上にカーペットのような仕上げ材５を敷いても、円形開口２ｂの領域で連続的な平坦性が維持される。
【００２０】
コーナーキャップ１３が取り付けられることにより、円形開口２ｂの領域がハイヒールや椅子のキャスターで押されたとしても落ち込むことはない。コーナーキャップ１３の上端１４の壁に加えられる局所荷重は、中間フランジ１６から受け台部６を介して支持脚本体７により支持され、また、コーナーキャップ１３の下端１４にて支持脚本体７により直接支持される。このように、コーナーキャップ１３の上端１４に加わる垂直荷重を分散支持することにより、コーナーキャップ１３自身に過度の負荷を与えることを避けることができる。
【００２１】
コーナーキャップ１３の内周面に複数の長手方向に延びるリブ１８を設けることにより、材料を削減しても十分な強度を有するコーナーキャップ１３を提供することができる。リブ１８は、図１に示すように、支柱８（ボルト）の上端部外周にほぼ当接するようになっており、コーナーキャップ１３が横荷重を受けて傾いたりするのを防いでいる。かかるコーナーキャップ１３は、ポリプロピレン等の樹脂製とすることができ、樹脂の弾性により、床パネルコーナー部と中間フランジとの衝突音を緩和したり、突条１７とコーナー部内周縁との密着性を高める等の効果を増すことができる。
【００２２】
コーナーキャップ１３の、中間フランジ１６よりも上方の部分の外周面に複数形成した長手方向の突条１７は、床パネル２を支持脚１上に載置するときに該床パネル２のコーナー部の内周縁と密接する。床パネル２の敷設を容易にするためには、コーナーキャップ１３の外周面と床パネル２のコーナー部の内周縁との間に多少のクリアランスがあることが望ましいが、床パネル２が支持脚１に固定されない場合、このクリアランスは敷設後の床パネル２の横ずれによる、隣接する床パネル同士の衝突音や摺動音等、歩行時に発生する異音の原因となる。そこで突条１７を設けることにより、コーナーキャップ１３の外周面を床パネル２のコーナー部によって形成される円形開口２ｂの内周縁よりも若干大きくなるように設定する。突条１７は断面形状が三角形や半円形に形成され、先端縁で弾性変形し易くなっている。したがって、床パネル２はコーナー部においてコーナーキャップ１３に密接して規制され、横ずれすることがなく、隣接する床パネル２と一定のクリアランスを維持して歩行時のがたつき音等を防止することができる。しかしながら、この突条１７は、パネル位置変更の際に床パネル２を上方へ動かすときに妨げとなるものではない。
【００２３】
また、コーナーキャップ１３の中間フランジ１６よりも上方の部分には、床パネル２の取り付けおよび取り外しの際に邪魔になる横方向突出部などは無いので、コーナーキャップ１６を取り付けたまま、パネル位置を容易に変更することが可能である。
【００２４】
なお、各床パネル２を支持脚１上に固定する必要がある場合には、コーナーキャップ１３を取り外し、代わりにパネルロック部材を使用することができる。図６に示すように、床パネル２側の円形開口２ｂおよび支持脚１側の開口１２が、パネルロック２０の取り付けのために利用される。パネルロック２０は、コーナーキャップ１３と同様、全体として円柱状をした部材である。パネルロック２０は、上部に拡大頭部２１を有している。この拡大頭部２１は、段差のある円形開口２ｂ内に納まることができる。パネルロック２０の下部には、複数の横方向突起２２が半径方向対向位置に設けられている。横方向突起２２の上面は、受け台部６の上側部材１０の内周縁部の下面に当接可能とされている。円形開口２ｂには、パネルロック２０の横方向突起２２に対応する大きさの切り欠き２ｃが形成されており（図２）、受け台部６の開口１２にも同様の切り欠きが形成されている。これらの切り欠きに横方向突起２２を通すようにしてパネルロック２０の下部を開口１２の下方に位置づけ、パネルロック２０を所定角度だけ回動させると、床パネル２のコーナー部は、拡大頭部２１によって下方に押圧され、該コーナー部の補強リブの底壁が受け台部６上に押圧されることにより、固定される。パネルロック２０の上端は、円形開口２ｂの領域にて床パネル２の上面と同じ高さに位置づけられるようになされている。カーペットのような仕上げ材５の上から円形開口２ｂの部分に局所的な荷重が加わったとき、該荷重は受け台部６を介して支持脚本体７に支持される。
【００２５】
図７には、本発明による支持脚に用いられるコーナーキャップの別の実施例を示す。このコーナーキャップ１３０は、図３ないし図５に示したコーナーキャップ１３に相当する本体１３１と図１におけるスペーサー１９の役割を果たすスペーサー部１９０とが一体に形成された形態を有する。スペーサー部１９０は、周方向に等間隔で配置された４本の連結部２３によって、本体１３１と一体となっている。本体１３１は、上端１４０、下端１５０、中間フランジ１６０、突条１７０、リブ１８０を有しているが、これらは図３ないし図５に示したコーナーキャップ１３の上端１４、下端１５、中間フランジ１６、突条１７、リブ１８と同等の作用をなし、その機能を果たすことができる。
【００２６】
【発明の効果】
本発明によれば、４つのコーナー部に四分円状の空所を有する二重床用の床パネルの該コーナー部を支持脚で支持する際、集合した床パネルのコーナー部が形成する円形開口を円柱状部材の上端がふさぐので、ハイヒールや椅子のキャスターが落ち込むのを有効に防止することができる。また、円形開口の領域にて円柱状部材の上端に加わる局所荷重は、円柱状部材の中間フランジから受け台部を介して支持脚本体に支持され、また、円柱状部材の下端にて支持脚本体により直接支持される、というように分散支持することができるので、円柱状部材には過大な負荷が加わらない。
【図面の簡単な説明】
【図１】本発明による床パネル用支持脚の一実施例の断面図。
【図２】４枚の床パネルのコーナー部が集合した状態を示す断片上面図。
【図３】本発明による支持脚に用いられるコーナーキャップ（円柱状部材）の一実施例の側面図。
【図４】図３のコーナーキャップの縦断面図であり、図４におけるＡ−Ａ断面図に相当する。
【図５】図３のコーナーキャップの底面図。
【図６】コーナーキャップに代えてパネルロックを用いた場合の支持脚の断面図。
【図７】本発明による支持脚に用いられるコーナーキャップ（円柱状部材）の別の実施例の斜示図。
【符号の説明】
１  支持脚、２  床パネル、２ａ  四分円状の空所、２ｂ  円形開口、２ｃ  切り欠き、３表面板、４  裏面板、５  仕上げ材、６  受け台部、７  支持脚本体、７ａ  支持板、８  支柱、９  ナット、１０  上側部材、１１  下側部材、１２  開口（取り付け口）、１３  コーナーキャップ（円柱状部材）、１４  上端、１５  下端、１６  中間フランジ、１７  突条、１８  リブ、１９  スペーサー、２０  パネルロック、２１  拡大頭部、２２  横方向突起、２３  連結部、１３０  コーナーキャップ（円柱状部材）、１３１  本体、１４０  上端、１５０  下端、１６０  中間フランジ、１７０  突条、１８０  リブ。
【図１】
0003870283.tif 000002
【図２】
0003870283.tif 000003
【図３】
0003870283.tif 000004
【図４】
0003870283.tif 000005
【図５】
0003870283.tif 000006
【図６】
0003870283.tif 000007
【図７】
0003870283.tif 000008